(57)【要約】【課題】撮像レンズ装置が着脱可能なデジタルカメラにおいて、撮像レンズ装置に振れ補正装置が搭載されている場合、デジタルカメラ本体にて振れ補正装置の駆動の動作開始または停止、あるいは動作モードの選択ができなかった。【解決手段】検出した手ぶれおよびその他の振動に応じて補正用レンズを駆動し像ぶれを補正する振れ補正装置を備えた撮像レンズ装置が着脱可能なカメラ本体を備え、前記カメラ本体は、前記撮像レンズ装置を着脱可能に装着するレンズマウントと、前記撮像レンズ装置の前記振れ補正装置の駆動開始または停止の選択を行う設定入力部とを有する撮像装置により、より操作性の高い像振れ補正可能な撮像装置を提供する。【選択図】図１
2009204628.tif 000002
【特許請求の範囲】
【請求項１】
検出した手ぶれおよびその他の振動に応じて補正用レンズを駆動し像ぶれを補正する振れ補正装置を備えた撮像レンズ装置を着脱可能に装着するレンズマウントと、
前記撮像レンズ装置が装着された場合に、前記振れ補正装置の有無を検知する検知手段と、
前記撮像装置の各種動作の設定を行う設定選択手段とを有し、
前記検知手段により前記振れ補正装置が検知された場合には、前記振れ補正装置の駆動開始または停止が前記設定選択手段に割り当てられることを特徴とする撮像装置。
【請求項２】
前記検知手段により前記振れ補正装置が検知された場合には、前記振れ補正装置の補正動作モードが前記設定選択手段に割り当てられることを特徴とする請求項１に記載の撮像装置。
【請求項３】
検出した手ぶれおよびその他の振動に応じて補正用レンズを駆動し像ぶれを補正する振れ補正装置を備えた撮像レンズ装置が着脱可能なカメラ本体を備え、
前記カメラ本体は、
前記撮像レンズ装置を着脱可能に装着するレンズマウントと、
前記撮像レンズ装置の前記振れ補正装置の駆動開始または停止の選択を行う設定入力部とを有する撮像装置。
【請求項４】
前記設定入力部は、前記振れ補正装置が複数の補正動作モードからいずれかを選択することを特徴とする請求項３に記載の撮像装置。
【発明の詳細な説明】
【技術分野】
【０００１】
本発明は、像ぶれを補正する振れ補正装置を含む撮像レンズ装置が着脱可能な撮像装置に関する。
【背景技術】
【０００２】
近年、デジタル方式のスチルカメラなどの撮像装置は、高画質化に伴い手ぶれなどに起因する像ぶれを補正する振れ補正機能に対する要望が益々高まっている。一方で、焦点距離の異なる複数のレンズユニットを着脱可能、すなわち交換可能としてなる一眼レフタイプのデジタルカメラも急速に普及し、撮影者は様々なシーンで、そのシーンに合ったレンズユニットを用いて撮影することができるので、非常に利便性の高いシステムとなっている。
【０００３】
従来知られている振れ補正装置を有する撮像装置は、手ぶれなど像ぶれの原因となるカメラの振動を検出する振動検出手段と、像ぶれに対する適正な補正量を演算する演算手段と、像ぶれ補正用レンズと、像ぶれ補正用レンズを駆動するレンズ駆動手段と、常時振れ補正を行う常時補正モードまたはレリーズ中のみ振れ補正を行うレリーズ連動補正モードの何れか一方を選択する補正モード選択手段とを備えている。同撮像装置においては、常時補正モードが選択されたときには、振動検出手段による振動検出動作開始後にレンズ駆動手段による補正が開始される。補正モード選択手段によってレリーズ連動補正モードが選択されたときは、レリーズ中のみレンズ駆動手段による補正が行われる。
【０００４】
なお、上述の従来の撮像装置においては、振動検出手段、演算手段、補正用レンズ、レンズ駆動手段、補正モード選択手段は、撮像レンズ装置に搭載されており、カメラ本体との通信によりレリーズ信号や電池の消耗具合などを検出して、常時補正モード及びレリーズ連動補正モードの制御を行っている（例えば、特許文献１）。
【０００５】
さらに、例えば別の像ぶれ補正装置を有する従来の撮像装置では、電子的な振れ補正との組み合わせにより、フレーミング期間の像ぶれ補正とレリーズ中の高精度な像ぶれ補正を両立する像ぶれ補正機能を実現する撮像装置や、流し撮り撮影時に水平方向の補正動作の低周波成分を除去して流し動作の振れ補正への影響を除外する流し撮りモードなどが提案されている。
【特許文献１】特開平５−２２４２７０号公報
【発明の開示】
【発明が解決しようとする課題】
【０００６】
上述の特許文献１に記載されている従来の撮像装置は、振れ補正手段の駆動開始または停止、あるいは、振れ補正動作モードの切換えを行う場合には、レンズ側に個別に搭載されたモード切替えスイッチ等の補正モード選択手段を操作する必要があり、カメラ本体側での選択操作ができないため、撮影者が構図を決定するフレーミングの最中などでは選択操作が難しいといった課題があった。
【０００７】
さらに、上述の電子的な振れ補正との組み合わせや流し撮りモードなど、レンズユニットに複数の補正動作モードを搭載する場合、動作モードの選択を行う切換えスイッチ等の補正モード選択手段が大型化する問題があった。
【０００８】
上述の問題を鑑みて、本発明は、振れ補正手段を有する着脱可能なレンズユニットが接続された場合に、カメラ本体でも振れ補正装置の駆動開始または停止を選択すること、あるいは、補正動作モードを選択することが可能となる撮像装置を提供することを目的とする。
【課題を解決するための手段】
【０００９】
上記課題は、検出した手ぶれおよびその他の振動に応じて補正用レンズを駆動し像ぶれを補正する振れ補正装置を備えた撮像レンズ装置が着脱可能なカメラ本体を備える撮像装置であって、
前記カメラ本体は、
前記撮像レンズ装置を着脱可能に装着するレンズマウントと、
前記撮像レンズ装置の前記振れ補正装置の駆動開始または停止の選択を行う設定入力部とを有する撮像装置によって達成される。
【００１０】
また、前記設定入力部は、前記振れ補正装置が複数の補正動作モードからいずれかを選択することを特徴とする撮像装置よって達成される。
【発明の効果】
【００１１】
上記の本発明によれば、振れ補正装置を有する着脱可能なレンズユニットが接続された場合に、カメラ本体でも振れ補正装置の駆動開始または停止を選択すること、あるいは、補正動作モードを選択することが可能となり、より操作性の向上する撮像装置を提供することができる。
【発明を実施するための最良の形態】
【００１２】
（実施の形態１）
本発明の実施の形態１に係る撮像装置について説明する。
【００１３】
図１は実施の形態１に係る撮像装置の撮像レンズ装置が装着された状態での機能ブロック図である。撮像レンズ装置２は、撮像装置のカメラ本体１のボディー前面に設けられたレンズマウント３に着脱可能に装着される。撮像レンズ装置２を通過した被写体光は、クイックリターンミラー４のメインミラー４ａにより２つの光束に分割さる。メインミラー４ａにより反射された光束はファインダ光学系１９へ導かれる。一方、メインミラー４ａを透過した光束は、クイックリターンミラー４の背面側に設けられたサブミラー４ｂで反射されて、焦点検出用ユニット５に導かれ、焦点検出用ユニット５においてＡＦ用光束として利用される。この焦点検出用ユニット５は、一般的には、位相差検出方式が使用される。
【００１４】
メインミラー４ａで反射された光束はファインダスクリーン６上に結像される。ファインダスクリーン６上に結像された被写体像は、ペンタプリズム７および接眼レンズ８を介してファインダ接眼窓９から観察することができる。
【００１５】
通常の撮影時には、クイックリターンミラー４が光路Ｘ外に跳ね上げられるとともに、シャッターユニット１０が開かれて撮像センサ１１の撮像面上に被写体像が結像される。
【００１６】
非撮影時には、図１に示すようにクイックリターンミラー４が光路Ｘ上に配設されるとともに、シャッターユニット１０は閉じた状態とされる。
【００１７】
カメラ本体１内には、各種シーケンスをコントロールするボディーマイコン１２が搭載されている。撮像センサ制御部１３は、撮像センサ１１の駆動制御を行う。シャッタ制御部１４は、ボディーマイコン１２からの制御信号に基づいて図示しないシャッタ駆動モータを駆動し、シャッターユニット１０の駆動制御を行う。画像表示制御部１５は、撮像センサ１１より画像データを読み出し、所定の画像処理後、画像表示用液晶モニタ１６へ撮影画像を表示するよう制御する。画像記録制御部１７は、図示せぬＳＤカードなどの記録媒体に対して、画像読み出し／記録部１８を介して、撮影画像の読み書きを行う。
【００１８】
ボディメモリ３６には、カメラ本体１本体ごとの各種プログラム、あるいは振れ補正時に用いるデータなどが記憶されている。振れ補正時に用いるデータとしては、撮像レンズ装置２の焦点距離に応じた撮像センサ１１の光軸中心からのシフト量のデータなどが記憶されている。
【００１９】
撮影者が撮影操作や動作条件などの各種設定を行うための設定選択手段が、設定制御部３０と設定入力部３１より構成されている。図２にカメラ本体１の背面からみた表示装置と設定入力部３１を示す。設定入力部３１は通常複数設けられ、十字キー釦３１ａやダイヤル選択釦３１ｂ、各設定に割り当てられた専用の選択スイッチ３１ｃ、撮影者が任意に設定可能とするファンクション釦３１ｄなどから構成される。
【００２０】
着脱可能な撮像レンズ装置２は、カメラ本体１内の撮像センサ１１に被写体像を結ぶための撮像光学系Ｌを有する。また撮像レンズ装置２内の各種シーケンスをコントロールし、各種レンズ情報等を内蔵したレンズマイコン２０が搭載されている。撮像レンズ装置２内には、手ぶれなどに起因する像ぶれの振れ量の検知を行う角速度センサ２１と、振れ補正レンズユニット２８を駆動制御する振れ補正ユニット制御部２３が搭載されている。この振れ補正レンズユニット２８を駆動制御することにより、撮影者等の手ぶれ等の影響をなくし、良好な撮影画像を得ることが可能となる。また、フォーカスレンズ群２４を駆動制御するフォーカスレンズ群制御部２５が搭載されている。さらに、絞りユニット２６を制御する絞り制御部２７が搭載されている。振れ補正レンズユニット２８は振れ補正装置に相当する。
【００２１】
次に、振れ補正レンズユニット２８について説明する。図３は撮像レンズ装置２の振れ補正装置のハードウエアブロック図、図４は振れ補正レンズユニット２８の分解斜視図である。
【００２２】
図３において、振れ補正レンズユニット制御部２３は、補正レンズ群２２を駆動及び制御する制御部であり、撮像光学系Ｌの光軸に直交する平面内で、補正レンズ群２２を上下左右に移動させる。移動量検出部４０は、補正レンズ群２２の実際の移動量を検出する検出部であり、振れ補正ユニット制御部２３と共に補正レンズ群２２を駆動制御するための帰還制御ループを形成している。
【００２３】
角速度センサ２１は、撮像光学系Ｌを含む撮像装置自体の動きを検出するためのセンサであり、撮像レンズ装置２およびカメラ本体１が静止している状態での出力を基準に、動きの方向により正負両方の角速度信号を出力する。角速度センサ２１は、ヨーイング及びピッチングの２方向の動きを検出するセンサであり、撮像レンズ装置２内の例えば回路基板上（図示せず）に、２個設けられている。図３では１方向のみ図示する。このように角速度センサ２１は、手ぶれ及びその他の振動によるカメラ本体１の動きを検出する動き検出手段の機能を有している。この角速度センサ２１は、角速度センサ電力制御部４７により、角速度センサ２１へ供給する電力のＯＮ／ＯＦＦが制御される。
【００２４】
ＨＰＦ４２は、角速度センサ２１の出力に含まれる不要帯域成分中の直流ドリフト成分を除去する高域通過フィルタである。ＬＰＦ４３は角速度センサ４１の出力に含まれる不要帯域成分中のセンサの共振周波数成分や、ノイズ成分を除去する低域通過フィルタである。アンプ４４は、角速度センサの出力信号レベルの調整を行うための回路である。Ａ／Ｄ変換部４５はアンプ４４の出力信号をデジタル信号に変換する変換手部あり、その出力はレンズマイコン２０に与えられる。
【００２５】
レンズマイコン２０は、Ａ／Ｄ変換部４５を介して取り込んだ角速度センサ２１の出力信号に対し、フィルタリング、積分処理、位相補償、ゲイン調整、クリップ処理等を施し、振れ補正に必要な補正レンズ群２２の駆動制御量（以下、制御信号と称す）を求めて出力する制御信号発生部である。そして、ここで求められた制御信号はＤ／Ａ変換部４６を介して振れ補正ユニット制御部２３に出力される。よって振れ補正レンズユニット制御部２３は、この制御信号に基づき補正レンズ群２２を駆動制御することで、撮像レンズ装置２及びカメラ本体１が動いたことによる画像の動きを補正する。
【００２６】
図４に示すように、振れ補正レンズユニット２８は、補正レンズ群２２を光軸Ｌに対して垂直な面内に移動させて振れ補正を行うユニットである。矢印Ｙ方向は補正レンズ群２２の移動方向が水平方向となるヨーイング方向、矢印Ｐ方向は補正レンズの移動方向が垂直方向となるピッチング方向である。
【００２７】
ピッチング移動枠５２には、補正レンズ群２２が固定されている。ピッチング移動枠５２にはガイド部５２ａとシャフト５３が設けられている。ピッチング移動枠５２は後述のヨーイング枠５４に支持されるシャフト５５に嵌合している。また、シャフト５３は後述のヨーイング枠５４のガイド溝５４ａに嵌合している。これらにより、ピッチング移動枠５２がヨーイング移動枠５４に対し矢印Ｐ方向に移動自在に保持されている。
【００２８】
また同様にヨーイング移動枠５４がシャフト（図示せず）を介して振れ補正レンズユニット２８の固定枠（図示せず）に対し矢印Ｙ方向に移動自在に支持されている。
【００２９】
したがって、補正レンズ群２２は、ピッチング移動枠５２およびヨーイング移動枠５４を介して、振れ補正レンズユニット２８の固定枠に対して矢印Ｙ方向および矢印Ｐ方向に移動自在に支持されている。
【００３０】
ピッチング移動枠５２には、補正レンズ群２２をヨーイング方向に駆動するコイル５７Ａおよびピッチング用に駆動するコイル５７Ｂと、移動量を検出するための位置検出センサであるホール素子（磁気センサ）５８Ａおよび５８Ｂが取付けられている。
【００３１】
コイル５７Ａ、５７Ｂ及びホール素子５８Ａ、５８Ｂはフレキシブルプリント板５９に結線されて、フレキシブルプリント板５９を介して回路基板（図示せず）より電気信号及び電力の供給が行われる。
【００３２】
振れ補正レンズ群の固定枠（図示せず）には、コイル５７Ａおよび５７Ｂにそれぞれ対向するマグネット６０Ａおよび６０Ｂが、ヨーク６１Ａおよび６１Ｂにそれぞれ取り付けられて配置されている。
【００３３】
補正レンズ群２２を矢印Ｙ方向に駆動する場合にはコイル５７Ａに、矢印Ｐ方向に駆動する場合にはコイル５７Ｂに電流を印加することで、それぞれ対向するコイルとマグネットの電磁作用によりコイルに電磁力が発生し、補正レンズを駆動することが可能となる。
【００３４】
ホール素子５８Ａ、５８Ｂは固定されたマグネット６０Ａ、６０Ｂとの相対位置変化を利用し、振れ補正制御のための補正レンズ群２２の矢印Ｙ方向及び矢印Ｐ方向の移動量を検出する移動量検出部４０の構成要素である。
【００３５】
レンズメモリ２９には、撮像レンズ装置２ごとの各種プログラム、あるいは焦点距離及び被写体までの距離とフォーカスレンズ群２４の移動量との関係を示すデータや、焦点距離に応じた補正レンズ群２２の光軸中心からのシフト量のデータなどが記憶されている。
【００３６】
一般的に、像ぶれ補正装置による補正範囲については、取り付けられた撮像レンズ装置２の焦点距離と一定の関係がある。つまり、撮像レンズ装置２の焦点距離をｆ、振動により所定時間内（露光時間内）に撮像レンズ装置２及びカメラ本体１が揺れる角度をθとすると、撮像センサ１１上にて像が移動する量は、次式（１）で表される。
【００３７】
ΔＹ＝ｆ×ｔａｎθ    ・・・・  （１）
よって、補正レンズ群２２のシフト量については、式（１）で示される像の移動量ΔＹに基づき、撮像レンズ装置２にて補正できる最大補正可能角度θについての情報を記憶している。
【００３８】
さらに、このレンズメモリ２９には、撮像レンズ装置２の製造年月日、あるいは振れ補正時の補正レンズ群２２の駆動に必要な消費電力等のデータも記憶されている。
【００３９】
以上のように、振れ補正レンズユニット２８、振れ補正レンズユニット制御部２３、角速度センサ２１、およびレンズマイコン２０などにより、振れ補正ブロック４８を形成している。
【００４０】
次に、カメラ本体１の撮影動作について説明する。
【００４１】
撮影者がカメラ本体１の電源スイッチ（図示せず）により電源を入れると、カメラ本体１内のボディーマイコン１２、撮像レンズ装置２内のレンズマイコン２０等の各種ユニットに電力が供給され、各種ユニットが起動する。カメラ本体１内のボディーマイコン１２は、撮像レンズ装置２内のレンズマイコン２０より、レンズマウント３の電気切片（図示せず）を介して、各種レンズデータを受け取り、カメラ本体１内のボディメモリ３６に記録する。この時、撮像レンズ装置２が振れ補正ユニット２８を搭載しているかどうかの情報も受け取る。すなわち、ボディーマイコン１２は、振れ補正装置の有無を検知する検知手段に相当する。
【００４２】
次に、撮影者がレリーズボタン５０を半押しすることにより、ボディーマイコン１２は、焦点検出用ユニット５より、焦点ずれ量（以後、Ｄｆ量という）を取得し、そのＤｆ量分、フォーカスレンズ群２４を駆動するようレンズマイコン２０に指示する。レンズマイコン２０は、フォーカスレンズ群制御部２５をコントロールして、Ｄｆ量分だけフォーカスレンズ群２４を動作させる。このように焦点検出とフォーカスレンズ群２４の駆動を繰り返すうち、Ｄｆ量は小さくなり、所定量以下になった時に合焦と判断し、フォーカスレンズ群２４の駆動を止める。
【００４３】
続いて、撮影者がレリーズボタン５０を全押しすることにより、ボディーマイコン１２はレンズマイコン２０に測光センサ（図示せず）からの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部（図示せず）により、クイックリターンミラー４の光路Ｘ内からの退避を行う。退避完了後、撮像センサ制御部１３は、撮像センサ１１の駆動を指示し、シャッターユニット１０の動作を指示する。なお、撮像センサ制御部１３は、測光センサからの出力に基づいて計算されたシャッタースピードの時間だけ、撮像センサ１１を露光する。
【００４４】
露光完了後、撮像センサ制御部１３は、撮像センサ１１より画像データを読み出し、所定の画像処理後、液晶モニタ１６へ撮影画像を表示するよう制御し、また、画像読み出し／記録部１８を介して、記憶媒体に画像データを書き込む。また、露光終了後、クイックリターンミラー４とシャッターユニット１０を初期位置にリセットする。ボディーマイコン１２は、レンズマイコン２０へ絞りを開放位置にリセットするよう指示し、レンズマイコン２０は、各ユニットにリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタンの状態が、押し込みされていないことを確認し、撮影シーケンスを終了する。
【００４５】
次に、撮像レンズ装置２がカメラ本体１に取り付けられた時の振れ補正駆動選択の具体的な動作について、図５を用いて説明する。図５は振れ補正駆動の動作状態を設定するためのフローチャートを示す。
【００４６】
カメラ本体１のボディーマイコン１２は、撮像レンズ装置２が取り付けられているかどうかを判断する（Ｓ１１）。撮像レンズ装置２が取り付けられていると判断した時には、撮像レンズ装置２内のレンズメモリ２９より、撮像レンズ装置２が持ちうる機能やフォーカス駆動などの各種制御設定情報など、レンズ本体１が必要とするレンズ固有情報を取得する（Ｓ１２）。
【００４７】
続いて、撮像レンズ装置２内に振れ補正レンズユニット２８が搭載されているかどうかの判断を行い（Ｓ１３）、振れ補正レンズユニット２８が搭載されていない場合はそのまま撮影準備状態に移行する。搭載されている場合には、設定入力部３１に振れ補正駆動の動作開始あるいは停止の選択内容を割り当てる（Ｓ１４）。具体的には、設定制御部３０が例えばカメラ本体１の背面に設置されたファンクション釦３１ｄに、振れ補正駆動開始と停止の選択機能を割り当てる。
【００４８】
撮影者がファンクション釦３１ｄを押圧して振れ補正駆動の開始を選択すると（Ｓ１５）、ボディーマイコン１２はレンズマイコン２０に振れ補正駆動開始の指示を送信し、振れ補正ユニット２８の駆動が開始される（Ｓ１６）。同時に画像表示制御部１５が振れ補正駆動が選択されたことを撮影者に伝える振れ補正アイコン８３を液晶モニタ１６に表示する。
【００４９】
また、撮影者が撮影途中でファンクション釦３１ｄを再度押圧して振れ補正駆動を解除すると、ボディーマイコン１２はレンズマイコン２０に振れ補正駆動停止の指示を送信し、振れ補正ユニット２８の駆動が停止される（Ｓ１７）。画像表示制御部１５も振れ補正駆動が停止されたことを撮影者に伝えるため振れ補正アイコン８３を液晶モニタ１６から非表示にする。
【００５０】
なお、撮像レンズ装置２に振れ補正駆動の開始あるいは停止を選択するスイッチが搭載されている場合は、カメラ本体１に割り当てられたファンクション釦３１ｄの設定内容とどちらを優先させるかを、別途設定選択手段にて選択可能となるようにしておいてもよい。
【００５１】
以上のように本実施の形態１によれば、一眼レフタイプのデジタルカメラにおいて、像ぶれ補正装置を備えた撮像レンズ装置が接続された場合、撮影者は操作に慣れたカメラ本体のボタンにて振れ補正の駆動の開始或いは停止の選択が可能となるので、より操作し易い撮像装置を提供することができる。
【００５２】
（実施の形態２）
次に、本実施の形態２に係る撮像装置について説明する。本実施の形態の撮像装置は、実施の形態１の撮像装置と比べ、撮像レンズ装置２に搭載された振れ補正ユニットが複数の振れ補正動作モードを有する点で異なる。なお、実施の形態１で説明したものについては、同一の符号を付し、その説明を省略する。
【００５３】
本実施の形態では、撮像レンズ装置２が複数の振れ補正動作モードとして、常時振れ補正を行う常時補正モード、レリーズ中のみ振れ補正を行うレリーズ連動補正モード、流し撮り撮影時に水平方向の補正動作の低周波成分を除去して流し動作の振れ補正への影響を除外する流し撮りモードを有している場合を例として説明する。
【００５４】
動作モード選択方法について、図６を用いて説明する。図６は振れ補正駆動の動作状態を設定するためのフローチャートである。
【００５５】
カメラ本体１のボディーマイコン１２は、撮像レンズ装置２が取り付けられているかどうかを判断する（Ｓ１１）。撮像レンズ装置２が取り付けられていると判断した時には、撮像レンズ装置２内のレンズメモリ２９より、撮像レンズ装置２が持ちうる機能やフォーカス駆動などの各種制御設定情報など、レンズ本体１が必要とするレンズ固有情報を取得する（Ｓ１２）。
【００５６】
続いて、撮像レンズ装置２内に振れ補正レンズユニット２８が搭載されているかどうかの判断を行い（Ｓ１３）、振れ補正レンズユニット２８が搭載されていない場合はそのまま撮影準備状態に移行する。搭載されている場合には、ボディーマイコン１２はレンズマイコン２０より、搭載されている振れ補正ユニット２８が持ちうる補正動作モードの数、名称などの情報を取得する（Ｓ２４）。その情報に基づいて、設定入力部３１に補正動作モードの種類を選択するための内容を割り当てる（Ｓ２５）。撮影者が補正動作モードの選択を設定入力部３１を用いて行うと（Ｓ２６）、ボディーマイコン１２はレンズマイコン２０にいずれの補正動作モードが選択されたかの情報を送信し、撮影者によって選択された補正動作モードにて、振れ補正駆動が開始される（Ｓ２７）。
【００５７】
補正動作モードの具体的な選択方法を、図２、図７および図８を用いて説明する。図７はカメラの各種設定を行う際の設定画面、図８はカメラ本体に設定された情報を表示した画面の例である。これらの画面は液晶モニタ１６あるいはファインダ接眼窓９内に組み込まれた設定表示部に表示される。
【００５８】
撮影者はカメラ本体１に設置された設定制御部３０と設定入力部３１により、撮影操作や動作条件などの各種設定を行う。ボディーマイコン１２は、レンズマイコン２０より取得した補正動作モードについての各種情報に基づき、画像表示制御部１５に指示を送る。画像表示制御部１５は、図７に示す撮影設定メニュー画面の中に補正動作モードの選択メニューとして手ぶれモード６６を追加して設定画面に表示する。撮影者が十字キー釦３１ａを押圧して手ぶれモードを選択すると、画像表示制御部１５は、さらに手ぶれモード６６のメニュー表示の右側に補正動作メニューが追加して表示される。補正動作メニューは、レンズマイコン２０より取得した補正動作モードについての各種情報に基づき表示される。撮影者はここでは２番のレリーズ連動６７の補正動作モードを選択している。
【００５９】
撮影者が補正動作モードの選択を終了すると、図８の設定情報を表示した画面に、レリーズ連動の補正動作モードが設定されている旨を表す補正動作モードアイコン８３が追加して表示される。
【００６０】
なお、図８に示すカメラの設定情報を表示した画面例に表示される各アイコンが表す内容を説明すると、７０は撮影モード、７１は絞り値、７３はシャッタスピード、７４は露出補正、７５はホワイトバランス設定、７６はISO感度、７７はフラッシュ設定、７８はバッテリー残量、７９は連射モード、８０は記録画素数、８１は画面アスペクト比、８２はメモリ書き込み動作、８４は撮影枚数である。
【００６１】
また、振れ補正レンズユニット２８が搭載されていないことが判断された場合（Ｓ１３）は、撮影設定メニューに手ぶれモード６６の選択メニューおよび設定画面に補正動作モードアイコン８３は表示されない。
【００６２】
また、実施の形態１で示したように、ファンクション釦３１ｄに補正動作モードの選択内容を割り当ててもよい。ファンクション釦３１ｄを連続して押圧することで、補正動作モードをアイコン表示と共に順番に切換える。この場合、撮影者は撮影設定メニューに入らなくても、ファンクション釦３１ｄの押圧だけで補正動作モードの選択が可能となる。
【００６３】
また、撮像レンズ装置２に振れ補正駆動の動作モードを選択するスイッチが搭載されている場合は、カメラ本体１にて設定した内容とどちらを優先させるかを、別途設定選択手段にて選択可能となるようにしておいてもよい。
【００６４】
補正動作モードの種類が増えた場合、撮像レンズ装置２での補正動作モードの選択は、選択スイッチが大型化してしまう。よって選択スイッチを搭載せずにカメラ本体１にて選択するようにすれば、撮像レンズ装置２の小型化を図ることができる。
【００６５】
また、補正動作モードアイコン８３のほかに、撮像レンズ装置２の振れ補正レンズユニット２８の最大補正角θを表示してもよい。
【００６６】
以上のように本実施の形態２によれば、撮像レンズ装置が着脱可能なデジタルカメラにおいて、振れ補正装置を備えた撮像レンズ装置が接続された場合、撮影者は操作に慣れたカメラ本体のボタンにて振れ補正駆動の動作モードの選択が可能となる。よって例えば構図を決定する際に補正動作モードの選択が容易となり、より効果的に振れ補正を活用できる撮像装置を提供する。
【産業上の利用可能性】
【００６７】
本発明の着脱可能な撮像レンズ装置との互換性が求められる、デジタルスチルカメラ、デジタルビデオカメラ、カメラ機能付きの携帯電話端末およびＰＤＡなどに好適である。
【図面の簡単な説明】
【００６８】
【図１】本発明の実施の形態１に係る撮像装置の撮像レンズ装置が装着された状態での機能ブロック図
【図２】本発明の実施の形態１に係るカメラ本体の背面からみた表示装置と設定入力部を示す図
【図３】本発明の実施の形態１に係る撮像レンズ装置の振れ補正装置のハードウェアのブロック図
【図４】本発明の実施の形態１に係る撮像レンズ装置の振れ補正レンズユニットの分解斜視図
【図５】本発明の実施の形態１に係る振れ補正駆動の動作状態を設定するためのフローチャート
【図６】本発明の実施の形態２に係る振れ補正駆動の動作状態を設定するためのフローチャート
【図７】本発明の実施の形態２に係るカメラ本体の各種設定を行う際の設定画面を示す図
【図８】本発明の実施の形態２に係るカメラ本体に設定された情報を表示した画面の例を示す図
【符号の説明】
【００６９】
Ｌ  撮像光学系
Ｄｆ  焦点ずれ量
Ｘ  光路
１  カメラ本体
２  撮像レンズ装置
３  レンズマウント
４  クイックリターンミラー
１０  シャッターユニット
１１  撮像センサ
１２  ボディーマイコン
１６  液晶モニタ
２０  レンズマイコン
２１  角速度センサ
２２  像ぶれ補正レンズ群
２３  振れ補正ユニットレンズ制御部
２４  フォーカスレンズ群
２８  振れ補正レンズユニット
２９  レンズメモリ
３０  設定制御部
３１  設定入力部
３６  ボディメモリ
５０  レリーズボタン
５２  ピッチング移動枠
５４  ヨーイング移動枠
８３  振れ補正アイコン
【図１】
2009204628.tif 000003
【図２】
2009204628.tif 000004
【図３】
2009204628.tif 000005
【図４】
2009204628.tif 000006
【図５】
2009204628.tif 000007
【図６】
2009204628.tif 000008
【図７】
2009204628.tif 000009
【図８】
2009204628.tif 000010